(57)【要約】【課題】簡単な構成でありながら、主面の面積を増すことなく難易度を上げることが可能なジグソーパズルを提供する。【解決手段】ジグソーパズル１０は、略長方形の台紙１２上に、略同一の外形形状の複数のパズル層２０，３０，４０，５０，６０を積層した構成となっている。前記パズル層２０，３０，４０，５０，６０は、それぞれ多数のピースと、それらを所定の位置に嵌め合わせるための嵌合部２４，３４，４４，５４，６４を有する枠体２２，３２，４２，５２，６２により形成されている。前記嵌合部２４，３４，４４，５４，６４は、上層になるほどサイズが大きくなっており、直下のパズル層の嵌合部と重なることがない。このため、ジグソーパズル１０の全体の大きさを増すことなく、限られた面積内で複数層のパズルを組み立てることができるため、難易度の向上を図ることができる。【選択図】図１
0003125875.tif 000002
【実用新案登録請求の範囲】
【請求項１】
台紙と、
該台紙上に少なくとも２層以上形成されており、多数のピースと、該多数のピースを所定の位置に嵌め合わせるための嵌合部を有する枠体とからなる複数のパズル層と、
を備えるとともに、
前記複数のパズル層のうち、上側のパズル層は、直下のパズル層の嵌合部よりも大きな嵌合部を有することを特徴とするジグソーパズル。
【請求項２】
前記複数のパズル層の絵柄が、直上又は直下のパズル層の絵柄と関連性を有することを特徴とする請求項１記載のジグソーパズル。
【考案の詳細な説明】
【技術分野】
【０００１】
本考案は、多数のピースを組み合わせて絵柄や写真等を復元するジグソーパズルに関するものである。
【背景技術】
【０００２】
ジグソーパズルは、周知のように、厚紙や薄い板に絵や写真を印刷し、これを不規則な形状となるように切り離し、切り離された多数のピースを組み合わせて元の絵などを復元するものである。このようなジグソーパズルとしては、例えば、以下の特許文献１に示すものがある。
【特許文献１】特開平８−３２３０３８号公報
【考案の開示】
【考案が解決しようとする課題】
【０００３】
しかしながら、以上の背景技術に示すような一般的なジグソーパズルでは、特定の位置に該当するピースの候補数がある程度限られてしまい、完成時にも十分な達成感を得られないことがある。そのため、難易度を上げるためには、ピースの数を増やさなければならず、ピースの数が膨大となり、完成品のサイズ（面積）も大きくなってしまうという不都合がある。また、従来のジグソーパズルは、完成品を観賞することはあっても、通常、パズルを組み立てる過程では、パズルの絵柄から何らかの学習効果やストーリー性を得ることはない。
【０００４】
本考案は、以上の点に着目したもので、その目的は、簡単な構成でありながら、主面の面積を増すことなく難易度を上げることが可能なジグソーパズルを提供することである。他の目的は、パズルを組み立てる過程において、絵柄を見て楽しむ以外の効果を得ることができるジグソーパズルを提供することである。
【課題を解決するための手段】
【０００５】
前記目的を達成するため、本考案のジグソーパズルは、台紙と、該台紙上に少なくとも２層以上形成されており、多数のピースと、該多数のピースを所定の位置に嵌め合わせるための嵌合部を有する枠体とからなる複数のパズル層と、を備えるとともに、前記複数のパズル層のうち、上側のパズル層は、直下のパズル層の嵌合部よりも大きな嵌合部を有することを特徴とする。主要な形態の一つは、前記複数のパズル層の絵柄が、直上又は直下のパズル層の絵柄と関連性を有することを特徴とする。本考案の前記及び他の目的，特徴，利点は、以下の詳細な説明及び添付図面から明瞭になろう。
【考案の効果】
【０００６】
本考案は、台紙上に複数のパズル層を積層するとともに、前記パズル層のピースを嵌めるための嵌合部を、直下のパズル層の嵌合部よりも大きくして、複数層のパズルの組み立てを可能とすることで、主面の面積を増すことなく、ジグソーパズルの難易度を上げることが可能となる。また、上下のパズル層間で関連性のある絵柄を設けることにより、絵柄を楽しむ以外の効果（例えば、学習効果など）が得られる。
【考案を実施するための最良の形態】
【０００７】
以下、本考案を実施するための最良の形態を、実施例に基づいて詳細に説明する。
【実施例１】
【０００８】
最初に、図１を参照しながら、本考案の実施例１を説明する。図１(A)は、本実施例のジグソーパズルの分解斜視図，図１(B)は本実施例の外観斜視図，図１(C)は、本実施例のジグソーパズルからピースを抜いた状態を示す平面図である。図１(D)及び(E)は変形例を示す平面図である。図１(A)〜(C)に示すように、本実施例のジグソーパズル１０は、略長方形の台紙１２上に、略同一の外形形状を有する複数のパズル層２０，３０，４０，５０，６０を積層した構成となっている。まず、台紙１２の直上に配置されるパズル層２０は、嵌合部２４が形成された枠体２２と、前記嵌合部２４の所定の位置に嵌め込み可能な多数のピース２６Ａ，２６Ｂ，・・・により形成されている。同様に、他のパズル層３０，４０，５０，６０も、嵌合部３４，４４，５４，６４を備えた枠体３２，４２，５２，６２と、それらに嵌め込み可能な多数のピース３６Ａ，３６Ｂ，・・・，４６Ａ，４６Ｂ，・・・，５６Ａ，５６Ｂ，・・・，６６Ａ，６６Ｂ，・・・，により形成されている。
【０００９】
前記ピース２６Ａ，２６Ｂ，・・，３６Ａ，３６Ｂ，・・・，４６Ａ，４６Ｂ，・・・，５６Ａ，５６Ｂ，・・・，６６Ａ，６６Ｂ，・・・，の表面には、組み立てたときに、角層毎に、所定の図柄，絵，写真，文字（列），数字（列），記号などが完成するように、それらの一部が印刷などにより形成されている。本実施例では、一番下のパズル層２０では、ピース２６Ａ，２６Ｂ，・・・を嵌め合わせたときに完成する絵柄が、例えば、「蛙の卵」となっている。その上のパズル層３０には「目が見えてきた卵」，パズル層４０には「おたまじゃくし」，パズル層５０には「手足が生えたおたまじゃくし」，パズル層６０には「蛙」の絵柄が設けられている。
【００１０】
ここで、前記嵌合部２４，３４，４４，５４，５６は、図１(A)及び(C)に示すように、略同一形状であり、かつ、上層になるほどサイズが大きくなっており、上側のパズル層の嵌合部が、その直下のパズル層の嵌合部と重なることがないように設定されている。以上のような台紙１２と、パズル層２０，３０，４０，５０，６０は、厚紙や木材，あるいはプラスチックなどの公知の各種の材質により形成されている。そして、台紙１２上に、前記枠体２２，３２，４２，５２，６２が、接着剤などの適宜手段で貼り合わせられる。このようなジグソーパズル１０は、例えば、図１(B)に示す箱７０に収納可能となっている。
【００１１】
次に、本実施例の作用を説明する。まず、全てのパズル層２０，３０，４０，５０，６０から、ピース２６Ａ，２６Ｂ，・・，３６Ａ，３６Ｂ，・・・，４６Ａ，４６Ｂ，・・・，５６Ａ，５６Ｂ，・・・，６６Ａ，６６Ｂ，・・・，を取り外しておく。ジグソーパズル１０を組み立てるときは、まず、一番下のパズル層２０の枠体２２に、ピース２６Ａ，２６Ｂ，・・・を嵌めて「蛙の卵」の絵柄を完成させる。次に、その上のパズル層３０の枠体３２に、ピース３６Ａ，３６Ｂ，・・・を嵌めて「目が見えてきたおたまじゃくし」の絵柄を完成させる。次いで、同様にそれぞれのパズル層に合うピースを嵌めて、パズル層４０，５０，６０の順に絵柄を完成させる。このような作業の過程において、上方のパズル層ほど、嵌合部の大きさが大きくなっており、直下のパズル層の嵌合部と重なることがないため、台紙１２に近いパズル層２０から最上層のパズル層６０まで順にパズルを組み立てることができる。
【００１２】
このように、実施例１によれば、次のような効果がある。
(1)台紙１２上に積層した複数のパズル層２０，３０，４０，５０，６０は、ピースを嵌めるための嵌合部２４，３４，４４，５４，６４が上方になるほどサイズが大きくなり、直下のパズル層の嵌合部と重なることがないため、台紙１２に近いパズル層２０から最上層のパズル層６０まで順にパズルを組み立てることができる。このため、ジグソーパズル１０の全体の大きさ（主面の面積）を増すことなく、パズルの難易度を上げることができる。
(2)パズル層２０，３０，４０，５０，６０に設ける絵柄を、直下又は直上のパズル層の絵柄と関連した内容にする（ストーリー性を持たせる）こととしたので、下層のパズル層２０から順に組み立てることにより、絵柄を楽しむだけでなく、学習効果を得ることができる。
【００１３】
なお、本考案は、上述した実施例に限定されるものではなく、本考案の要旨を逸脱しない範囲内において種々変更を加え得ることができる。例えば、以下のものも含まれる。
(1)前記実施例で示した形状，寸法，材質は一例であり、同様の効果を奏するように適宜変更してよい。例えば、前記実施例では、ジグソーパズル１０の外形形状を略長方形としたが、これも一例であり、必要に応じて他の形状としてよい。
(2)前記実施例で示した嵌合部２４，３４，４４，５４，６４も一例であり、図１(D)に示すジグソーパズル８０のように、台紙８２上に、略長方形の嵌合部８４Ａ，８６Ａ，８８Ａ，９０Ａ，９２Ａ，９４Ａ，９６Ａが形成された枠体８４，８６，８８，９０，９２，９４，９６を積層するようにしてもよい。あるいは、図１(E)に示すジグソーパズル１００のように、台紙１０２上に、楕円形の嵌合部１０４Ａが形成された枠体１０４，長方形の嵌合部１０６Ａが形成された枠体１０６，楕円形の枠体１０８Ａが形成された枠体１０８を順に重ねるようにするなど、上下の層で嵌合部が重なることがなければ、その形状は上下間で異なるものとしてもよい。
(3)前記実施例で示したピースの数やパズル層の積層数も一例であり、必要に応じて適宜増減してよい。
(4)前記実施例では、台紙１２側のパズル層２０から最上層のパズル層６０にかけて、蛙の成長過程を示す絵柄を設けることとしたが、これも一例であり、植物の生長過程などを示す絵柄を設けるようにしてもよい。もちろん、上下層間で関連性がない絵柄を各層に設けるようにしてもよく、その内容も必要に応じて適宜変更してよい。
【産業上の利用可能性】
【００１４】
本考案によれば、台紙上に複数のパズル層を積層するとともに、前記パズル層のピースを嵌めるための嵌合部を、直下のパズル層の嵌合部よりも大きくして、複数層のパズルの組み立てを可能としたので、ジグソーパズルの用途に適用できる。特に、主面の面積を増すことなく多数のピースを用いて組み立てを行うため、難易度の高いジグソーパズルの用途に好適である。
【図面の簡単な説明】
【００１５】
【図１】本考案の実施例１を示す図であり、(A)は分解斜視図，(B)は外観斜視図，(C)はピースを抜いた状態を示す平面図，(D)及び(E)は変形例を示す平面図である。
【符号の説明】
【００１６】
１０：ジグソーパズル
１２：台紙
２０，３０，４０，５０，６０：パズル層
２２，３２，４２，５２，６２：枠体
２４，３４，４４，５４，６４：嵌合部
２６Ａ，２６Ｂ，３６Ａ，３６Ｂ，４６Ａ，４６Ｂ，５６Ａ，５６Ｂ，６４Ａ，６４Ｂ：ピース
７０：箱
８０，１００：ジグソーパズル
８２，１０２：台紙
８４，８６，８８，９０，９２，９４，９６１０４，１０６，１０８：枠体
８４Ａ，８６Ａ，８８Ａ，９０Ａ，９２Ａ，９４Ａ，９６Ａ，１０４Ａ，１０６Ａ，１０８Ａ：嵌合部
【図１】
0003125875.tif 000003